(57)【要約】      （修正有）【課題】新たな検出器を設けることなく、原稿搬送装置が浮きの程度を把握し、ジャムが生ずるほど原稿搬送装置が浮いていれば、原稿の搬送を原稿搬送装置に行わせない。【解決手段】画像読取装置は、原稿が通過する第１プラテンガラスと、原稿が載置される第２プラテンガラスとを有し、画像データを生成する画像読取部と、原稿の載置を検知する検知体と、閉状態で第１又は第２プラテンガラスに対向するマークとを有し、画像読取部の上方に設けられ、上下方向に開閉し、第１プラテンガラスに向け原稿を搬送する原稿搬送部と、を備え、原稿の読取を行う場合、画像読取部は、原稿の読み取り開始前にマークの読み取りを行い、原稿搬送部は、読み取られた前記マークの大きさが所定の大きさ以下である場合、第１プラテンガラスへの原稿の搬送を行わない。【選択図】図９
2010278563.tif 000002
【特許請求の範囲】
【請求項１】
上面に設けられ原稿が通過する第１プラテンガラスと、上面に設けられ原稿が載置される第２プラテンガラスと、を有し、前記第１又は第２プラテンガラス上面に向け光を照射し、反射光に基づきイメージセンサにより画像データを生成する画像読取部と、
原稿が載置されていることを検知する検知体と、下面に設けられ閉状態で前記第１又は第２プラテンガラスに対向するマークと、を有し、前記画像読取部の上方に設けられ、回転軸により前記画像読取部に対し上下方向に開閉し、前記第１プラテンガラスに向けて原稿を搬送する原稿搬送部と、を備え、
原稿の読取を行う場合、
前記画像読取部は、原稿の読み取り開始前に前記マークの読み取りを行い、
前記原稿搬送部は、読み取られた前記マークの大きさが所定の大きさ以下である場合、原稿が載置されていても、前記第１プラテンガラスへの原稿の搬送を行わないことを特徴とする画像読取装置。
【請求項２】
前記画像読取部は、前記原稿搬送部が所定角度よりも倒されたことを検知するための開閉検知器を有し、前記原稿搬送部が所定角度よりも倒れた場合、前記第２プラテンガラスに載置された原稿のサイズを確認するため、前記第２プラテンガラスの一部を読み取り、
前記原稿搬送部は、前記原稿搬送部が所定角度倒れたことが検知されていても、読み取られた前記マークの大きさが所定の大きさ以下である場合、前記第１プラテンガラスへの原稿の搬送を行わないことを特徴とする請求項１記載の画像読取装置。
【請求項３】
前記回転軸の軸線方向に対し、前記イメージセンサの主走査方向は垂直であり、
前記原稿搬送部は、前記原稿搬送部の下面に、前記イメージセンサの主走査方向にのびて原稿読み取り時の白基準であり、搬送される原稿を導く白色ガイド板を有し、
前記マークは、前記白色ガイド板に設けられることを特徴とする請求項１又は２に記載の画像読取装置。
【請求項４】
上面に設けられ原稿が通過する第１プラテンガラスと、上面に設けられ原稿が載置される第２プラテンガラスと、を有し、前記第１又は第２プラテンガラス上面に向け光を照射し、反射光に基づきイメージセンサにより画像データを生成する画像読取部と、
原稿が載置されていることを検知する検知体と、前記原稿搬送部の下面に、前記イメージセンサの主走査方向にのび、原稿読み取り時の白基準であり、搬送される原稿を導く白色ガイド板と、を有し、前記画像読取部の上方に設けられ、前記イメージセンサの主走査方向と垂直な方向を軸線方向とする回転軸により前記画像読取部に対し上下方向に開閉し、前記第１プラテンガラスに向けて載置された原稿を搬送する原稿搬送部と、を備え、
前記原稿搬送部が閉じられた状態において、前記白色ガイド板に対向する第１プラテンガラスに白色のマークが設けられ、
原稿の読取を行う場合、
前記画像読取部は、原稿の読み取り開始前に前記マークの読み取りを行い、
前記原稿搬送部は、読み取られた前記マークの周囲の濃度が所定の濃度よりも濃い場合、原稿が載置されていても、前記第１プラテンガラスへの原稿の搬送を行わないことを特徴とする画像読取装置。
【請求項５】
前記画像読取部は、前記原稿搬送部が所定角度よりも倒されたことを検知するための開閉検知器を有し、前記原稿搬送部が所定角度よりも倒れた場合、前記第２プラテンガラスに載置された原稿のサイズを確認するため、前記第２プラテンガラスの一部を読み取り、
前記原稿搬送部は、前記原稿搬送部が所定角度倒れたことが検知されていても、読み取られた前記マークの周囲の濃度が所定の濃度よりも濃い場合、前記第１プラテンガラスへの原稿の搬送を行わないことを特徴とする請求項４に記載の画像読取装置。
【請求項６】
請求項１乃至５のいずれか１項に記載の画像読取装置を含む画像形成装置。
【発明の詳細な説明】
【技術分野】
【０００１】
本発明は、スキャナ等の原稿の読取を行う画像読取装置に関する。又、この画像読取装置を備えた画像形成装置に関する。
【背景技術】
【０００２】
従来、原稿読取を行い、画像データを出力する画像読取装置が用いられ、画像読取装置は、複写機、複合機、ＦＡＸ装置等の画像形成装置に搭載されることもある。又、画像読取装置には、複数の原稿を読み取り位置に向けて連続的に搬送する原稿搬送装置（「ＡＤＦ」と呼ばれることもある）が取り付けられることがある。画像読取装置は、連続的に搬送される原稿を、イメージセンサ等により連続的に読み取る。
【０００３】
又、一般に、原稿搬送装置は、画像読取装置本体に対し開閉可能に設けられ、原稿搬送装置を持ち上げ、画像読取装置本体上面のプラテンガラスに、書籍等の原稿搬送部で搬送できない原稿を載置して１ページずつの読み取りを画像読取装置に行わせることもできる。このような画像読取装置の一例が、特許文献１に記載されている。
【０００４】
具体的に、特許文献１には、自動原稿給送装置が装置本体にそのプラテンガラス上を開閉し得るように装着され、圧板モードで原稿をプラテンガラス上にセットできるようにした画像形成装置において、自動原稿給送装置の開閉状態を検知する開閉検知器と、自動原稿給送装置への原稿セットを検知する原稿セット検知器と、プラテンガラス上に置き忘れ原稿があることを表示する原稿忘れ表示器とを設け、開閉検知器の出力信号を利用して置き忘れ原稿の有無を判断し、有ると判断した場合、原稿セット検知器が原稿のセットを検知したときに、原稿給紙及び画像形成動作を禁止すると共に原稿忘れ表示器を表示状態にする制御手段を備えた画像形成装置が記載されている。この構成により、置き忘れの原稿を読み取ることによるミスコピーや、置き忘れ原稿があるにもかかわらず、原稿の給紙を行うことにより発生したジャムによる原稿の損傷を防止しようとする。（特許文献１：特許請求の範囲、目的の欄等参照）。
【特許文献１】特開平０１−２１７４４７
【発明の概要】
【発明が解決しようとする課題】
【０００５】
まず、画像読取装置には、本体上面に、原稿搬送装置により搬送される原稿の読み取り用のプラテンガラス（以下、「搬送用プラテンガラス」と称する）と、書籍等の原稿を載置して読み取るためのプラテンガラス（以下、「載置用プラテンガラス」と称する）を有するものがある。
【０００６】
原稿の搬送を行う場合、原稿は搬送用プラテンガラスに接するように搬送され、搬送用プラテンガラスは、搬送路の一部として用いられる。従って、原稿搬送装置の下面と搬送用プラテンガラスが離れすぎていれば、原稿搬送を適切に行えずジャムが生ずる。そのため、一般に、原稿搬送装置が閉じられたか否かを確認用の開閉検知器が設けられる。開閉検知器には、光センサや原稿搬送装置の下面と接する接触式センサ等が用いられるが、開閉と連動した検知であるため、通常、原稿搬送装置の開閉の支点近傍に設けられる。そのため、完全に閉じていないのに閉じたと誤検知する場合がある。更に、画像読取装置には、原稿搬送装置がある程度倒されたことを開閉検知器で検知し、ある程度倒れたことをトリガとして、載置用プラテンガラスを読み取り、載置された原稿のサイズを確認する画像読取装置もある。このような画像読取装置では、原稿搬送装置が完全に閉じられていなくても、原稿搬送装置は閉状態と判断される。
【０００７】
このように、原稿搬送装置がある程度倒された時点で閉じられたと判断される場合があるので、例えば、載置用プラテンガラスに書籍等の厚みのある原稿が載置され、原稿搬送装置が、浮いた状態（半開き状態）でも原稿搬送装置が閉じられていると誤検知される場合や、判断される場合がある。
【０００８】
このような、原稿搬送装置が浮いた状態、かつ、原稿搬送装置が閉じられていると判断されている状態で、原稿が原稿搬送装置に載置されていれば、原稿搬送装置が原稿の搬送を行ってしまう場合がある。そうすると、搬送用プラテンガラスと原稿搬送装置の下面との距離が離れているので、搬送が正確に行えず、搬送用プラテンガラス部分で原稿のジャムが生ずるという問題がある。しかし、原稿搬送装置が浮いた状態か否かを正確に測定する検出器を設ければ、画像読取装置の製造コストは上昇してしまう。
【０００９】
ここで、特許文献１記載の発明を見ると、コピー終了後に開閉検知器４１の出力信号をチェックし、開状態（Ｈレベル）となれば、原稿がプラテンガラスから取り除かれたと判断して圧板原稿フラグはＯＦＦされ、コピー禁止状態ではなくなる（特許文献１：第４頁左欄３２〜３８行、図８参照）。従って、使用者が書籍等を置いた際に、圧板原稿フラグはＯＦＦされ、コピー禁止状態とはならず、その結果、ＡＤＦが浮いた状態でも、原稿がセットされていれば、原稿給紙処理が行われる（特許文献１：第４頁右欄１４〜１８行参照）。即ち、特許文献１記載の発明は、原稿忘れによるミスコピー等を回避するためのものであり、原稿搬送装置が浮いた状態での原稿搬送によるジャムを防げない。
【００１０】
本発明は、上記従来技術の問題点に鑑み、新たな検出器を設けることなく、原稿搬送装置が浮いている程度を把握し、ジャムが生ずるほど原稿搬送装置が浮いていれば、原稿の搬送を原稿搬送装置に行わせないようにすることを課題とする。
【課題を解決するための手段】
【００１１】
上記目的を達成するために、請求項１に係る画像読取装置は、上面に設けられ原稿が通過する第１プラテンガラスと、上面に設けられ原稿が載置される第２プラテンガラスと、を有し、前記第１又は第２プラテンガラス上面に向け光を照射し、反射光に基づきイメージセンサにより画像データを生成する画像読取部と、原稿が載置されていることを検知する検知体と、下面に設けられ閉状態で前記第１又は第２プラテンガラスに対向するマークと、を有し、前記画像読取部の上方に設けられ、回転軸により前記画像読取部に対し上下方向に開閉し、前記第１プラテンガラスに向けて原稿を搬送する原稿搬送部と、を備え、原稿の読取を行う場合、前記画像読取部は、原稿の読み取り開始前に前記マークの読み取りを行い、前記原稿搬送部は、読み取られた前記マークの大きさが所定の大きさ以下である場合、原稿が載置されていても、前記第１プラテンガラスへの原稿の搬送を行わないこととした。
【００１２】
この構成によれば、読み取られたマークの大きさが所定の大きさ以下であれば、マークとプラテンガラスとが大きく離れていることが分かり、書籍等の載置のため、原稿搬送部が浮いていることが分かる。従って、原稿搬送部に原稿が載置されていても、読み取られたマークの大きさが所定の大きさ以下になるほど、原稿搬送部がプラテンガラスから離れていれば、原稿の搬送が行われず、原稿搬送部が浮いている状態で原稿の搬送を行うことによるジャムの発生を防ぐことができる。尚、所定の大きさとは、原稿の搬送を行えば、搬送用プラテンガラスで原稿のジャムが生じてしまうほど、原稿搬送部が浮いている時の読み取られたマークの大きさを基準に定められる。
【００１３】
又、請求項２に係る発明は、請求項１の発明において、前記画像読取部は、前記原稿搬送部が所定角度よりも倒されたことを検知するための開閉検知器を有し、前記原稿搬送部が所定角度よりも倒れた場合、前記第２プラテンガラスに載置された原稿のサイズを確認するため、前記第２プラテンガラスの一部を読み取り、前記原稿搬送部は、前記原稿搬送部が所定角度倒れたことが検知されていても、読み取られた前記マークの大きさが所定の大きさ以下である場合、前記第１プラテンガラスへの原稿の搬送を行わないこととした。
【００１４】
この構成によれば、原稿搬送部がある程度倒された時、原稿搬送部が閉じられたと検知され、第２プラテンガラスの一部を読み取る画像読取装置であっても、マークの大きさが所定の大きさ以下である場合には原稿の搬送が行われない。従って、原稿搬送部が浮いている状態で原稿の搬送を行うことによる原稿のジャムの発生を防ぐことができる。
【００１５】
又、請求項３に係る発明は、請求項１又は２の発明において、前記回転軸の軸線方向に対し、前記イメージセンサの主走査方向は垂直であり、前記原稿搬送部は、前記原稿搬送部の下面に、前記イメージセンサの主走査方向にのびて原稿読み取り時の白基準であり、搬送される原稿を導く白色ガイド板を有し、前記マークは、前記白色ガイド板に設けられることとした。
【００１６】
この構成によれば、マークの読み取りと、シェーディング補正における白基準の読み取りを同時に行えるので、読み取り前の処理速度を向上させることができる。
【００１７】
又、請求項４に係る画像読取装置は、上面に設けられ原稿が通過する第１プラテンガラスと、上面に設けられ原稿が載置される第２プラテンガラスと、を有し、前記第１又は第２プラテンガラス上面に向け光を照射し、反射光に基づきイメージセンサにより画像データを生成する画像読取部と、原稿が載置されていることを検知する検知体と、前記原稿搬送部の下面に、前記イメージセンサの主走査方向にのび、原稿読み取り時の白基準であり、搬送される原稿を導く白色ガイド板と、を有し、前記画像読取部の上方に設けられ、前記イメージセンサの主走査方向と垂直な方向を軸線方向とする回転軸により前記画像読取部に対し上下方向に開閉し、前記第１プラテンガラスに向けて載置された原稿を搬送する原稿搬送部と、を備え、前記原稿搬送部が閉じられた状態において、前記白色ガイド板に対向する第１プラテンガラスに白色のマークが設けられ、原稿の読取を行う場合、前記画像読取部は、原稿の読み取り開始前に前記マークの読み取りを行い、前記原稿搬送部は、読み取られた前記マークの周囲の濃度が所定の濃度よりも濃い場合、原稿が載置されていても、前記第１プラテンガラスへの原稿の搬送を行わないこととした。
【００１８】
この構成によれば、読み取られたマークが明確に現れ、マークの周囲の濃度が濃くなるほど、マークがプラテンガラスから離れていることが分かり、書籍が載置される等で、原稿搬送部が浮いていることが分かる。従って、稿搬送部に原稿が載置されていても、マークの周囲の濃度が所定の濃度より濃くなるほど原稿搬送部がプラテンガラスから離れていれば、原稿の搬送が行われず、原稿のジャムは発生を防ぐことができる。尚、所定の濃度とは、原稿の搬送を行えば、搬送用プラテンガラスで原稿のジャムが生じてしまうほど、原稿搬送部が浮いている時の読み取られたマークの周囲の濃度を基準に定められる。
【００１９】
又、請求項５に係る発明は、請求項４の発明において、前記画像読取部は前記原稿搬送部が所定角度よりも倒されたことを検知するための開閉検知器を有し、前記原稿搬送部が所定角度よりも倒れた場合、前記第２プラテンガラスに載置された原稿のサイズを確認するため、前記第２プラテンガラスの一部を読み取り、前記原稿搬送部は、前記原稿搬送部が所定角度倒れたことが検知されていても、読み取られた前記マークの周囲の濃度が所定の濃度よりも濃い場合、前記第１プラテンガラスへの原稿の搬送を行わないこととした。
【００２０】
この構成によれば、原稿搬送部がある程度倒された時、原稿搬送部が閉じられたと検知され、第２プラテンガラスの一部を読み取る画像読取装置であっても、マークの大きさが所定の大きさ以下である場合には原稿の搬送が行われない。従って、原稿搬送部が浮いている状態で原稿の搬送を行うことによる原稿のジャムの発生を防ぐことができる。
【００２１】
又、請求項６に係る画像形成装置は、請求項１乃至５のいずれか１項に記載の画像読取装置を含むこととした。
【００２２】
この構成によれば、原稿搬送部に原稿がセットされ、書籍等の厚みのある原稿が第２プラテンガラスに載置され、原稿のジャムが生ずるほど原稿搬送部が浮いていれば、原稿の搬送が行われない。従って、原稿搬送部が浮いている状態での原稿搬送によるジャムが生じない画像形成装置を提供することができる。
【発明の効果】
【００２３】
本発明によれば、画像読取部によるマークの読み取りで、原稿搬送装置が浮きの程度を把握し、ジャムが生ずるほど原稿搬送部が浮いていれば、原稿の搬送を行わせない。従って、新たな検出器を設けないので、製造コストの上昇が無く、原稿搬送部が浮いていることに起因する原稿のジャムが生じない画像読取装置を提供することができる。
【図面の簡単な説明】
【００２４】
【図１】第１実施形態に係る複写機の概略構成を示す正面から見た模型的断面図である。
【図２】第１実施形態に係る画像読取装置の正面拡大模型的断面図である。
【図３】第１実施形態に係る画像読取装置の一例の正面図である。
【図４】第１実施形態に係る原稿搬送部の開けた状態での画像読取装置の左側面模型的断面図である。
【図５】第１実施形態に係る複写機の構成の一例を示すブロック図である。
【図６】第１実施形態に係る画像読取装置の構成の一例を示すブロック図である。
【図７】（ａ）は、第１実施形態に係る原稿搬送部の閉状態の一例を示す左側面模型的断面図であり、（ｂ）は、原稿搬送部が浮いた態の一例を示す左側面模型的断面図である。
【図８】第１実施形態に係る原稿搬送部の開閉角度とマークの読み取りの一例を示す説明図である。
【図９】第１実施形態に係る画像読取時の制御の流れを示すフローチャートである。
【図１０】（ａ）は、第２実施形態に係る画像読取部を上方から見た一例を示す模式図であり、（ｂ）は、原稿搬送部の開閉角度とマークの読み取りの一例を示す説明図である。
【図１１】第２実施形態に係る画像読取時の制御の流れを示すフローチャートである。
【発明を実施するための形態】
【００２５】
以下、本発明の第１の実施形態を図１〜９を用いて説明する。但し、本実施の形態に記載されている構成、配置等の各要素は、発明の範囲を限定するものではなく単なる説明例にすぎない。
【００２６】
（画像形成装置の概略）
まず、図１を用いて、本発明の第１の実施形態に係る画像読取装置１００を含む電子写真方式の複写機２００（画像形成装置に相当）の概略を説明する。図１は、本発明の第１の実施形態に係る複写機２００の概略構成を示す正面から見た模型的断面図である。
【００２７】
図１に示すように、本実施形態に係る複写機２００は、上方に画像読取装置１００が配される。画像読取装置１００は、主として、画像読取部１の上方に設けられ、回転軸２ａにより画像読取部１に対し上下方向に開閉し、搬送用プラテンガラス１１に向けて原稿を搬送する原稿搬送部２と、原稿搬送部２の下方に配され、搬送読取用又は載置用プラテンガラス１２上面に向け光を照射し、反射光に基づきイメージセンサ１８により画像データを生成する画像読取部１から構成される。尚、画像読取装置１００の詳細は後述する。
【００２８】
又、図１に破線で示すように、画像読取部１の正面側には操作パネル３が設けられる。操作パネル３は、複写機２００の設定用のキーを表示し、使用者の入力を受け付ける液晶表示部３０を有する。又、液晶表示部３０は、ジャムや用紙切れ等のエラー等の複写機２００の状態を表示できる。又、操作パネル３には、コピー部数等の数字入力を行うためのテンキー部３１や、コピー実行を指示するためのスタートキー３２等が配される。
【００２９】
次に、複写機２００内部の構成、動作を説明する。複写機２００は内部に、給紙部４ａ、搬送路４ｂ、画像形成部５ａ、定着部５ｂ等を備え、画像読取部１の下方位置に排紙空間が設けられる。そこで、これらの構成を用紙の搬送経路に沿って説明する。尚、図１に複写機２００内での用紙の搬送経路を実線矢印で図示する。
【００３０】
まず、給紙部４ａは、複写機２００の最下部に設けられ、例えば、コピー用紙、ＯＨＰ用紙、ラベル用紙等の各種、各サイズ（Ａ４、Ｂ５等）の用紙を収容する。そして、給紙ローラ４１は、最上位の用紙に当接し、給紙の際、所定の方向（図１では時計方向）に回転駆動して、用紙を１枚ずつ搬送路４ｂに送り出す。
【００３１】
搬送路４ｂは、本実施形態では、複写機２００内で用紙を搬送し、給紙部４ａから画像形成部５ａを経て、排出トレイ４２まで用紙を搬送する通路である。そして、搬送路４ｂに沿って、駆動機構（不図示）により回転駆動する搬送ローラ対４３や、用紙を案内するための複数のガイド板（不図示）や、形成されたトナー像に合わせて用紙を送り出すレジストローラ対４４や、用紙排出のための排出ローラ対４５等が設けられる。
【００３２】
画像形成部５ａは、図１において、複写機２００内の中央左方の位置に配され、画像読取装置１００が読み取った原稿の画像データ等に基づき、トナー像を形成し、用紙に転写を行う。そして、画像形成部５ａは、像担持体としての感光体ドラム５１、帯電装置５２、露光装置５３、現像装置５４、転写ローラ５５、清掃装置５６等で構成される。感光体ドラム５１は、画像形成部５ａの略中央に配され、駆動装置（不図示）によって所定の方向（図１では時計方向）に回転駆動し、外周面に感光層を有する。帯電装置５２は、図１の感光体ドラム５１の右斜め上方に対向して配され、所定の電位で感光体ドラム５１の周面を帯電させる。尚、コロナ放電式のものの他、帯電ローラ、ブラシ等を用いても良い。
【００３３】
露光装置５３は、図１で、感光体ドラム５１の右側方に配され、帯電後の感光体ドラム５１の周面に、形成すべき画像の画像データに基づき光（例えば、レーザ光）を照射し、周面を走査・露光し、画像データに対応した静電潜像が形成する。現像装置５４は、図１において感光体ドラム５１の下方に設けられ、収容するトナーを所定の電位に帯電させ、そのトナーを静電潜像に供給し、静電潜像をトナー像として現像する。
【００３４】
転写ローラ５５は、図１において、感光体ドラム５１の左斜め下方に回転可能に支持され、感光体ドラム５１上に形成されたトナー像を用紙に転写する。そのため、転写ローラ５５は、感光体ドラム５１に当接しニップを形成する。このニップに用紙が進入し、転写ローラ５５にトナーの帯電極性と逆極性の電圧が印加され、トナー像の用紙への転写がなされる。清掃装置５６は、図１において、感光体ドラム５１の上方に配され、感光体ドラム５１の周面上の残トナーや塵芥等を除去、回収する。
【００３５】
定着部５ｂは、本実施形態では、加熱ローラ５７、加圧ローラ５８等を有し、用紙に転写されたトナー像を加圧・加熱し用紙に固着させる。加熱ローラ５７は内部に発熱体が内蔵され、加圧ローラ５８と加熱ローラ５７は、互いに圧接してニップを形成する。このニップにトナー像が転写された用紙が進入し、トナーの定着が行われる。定着完了後の用紙は、排出ローラ対４５により、排出トレイ４２に排出される。
【００３６】
（画像読取装置１００の構成）
次に、図２を用いて、本発明の第１の実施形態に係る画像読取装置１００の詳細を説明する。図２は、本発明の第１の実施形態に係る複写機２００の画像読取装置１００部分の正面拡大模型的断面図である。まず、原稿搬送部２を説明する。
【００３７】
原稿搬送部２は、読み取りを行う原稿を１枚ずつ、自動的に連続して読み取り位置（後述の搬送用プラテンガラス１１）に搬送し、原稿搬送方向上流側から順に、原稿トレイ２１、原稿供給ローラ２２、原稿搬送路２３、複数の原稿搬送ローラ対２４、原稿排出ローラ対２５、原稿排出トレイ２６等を備える。又、原稿搬送部２は、図２の紙面奥側を支点として画像読取部１に上下方向に開閉自在に取り付けられ、画像読取部１の各プラテンガラスを上方から押さえるカバーとして機能する。又、原稿搬送部２には、原稿搬送部２の下面であって、搬送用プラテンガラス１１に対向して白色ガイド板２７が設けられる。
【００３８】
原稿トレイ２１には複数枚の原稿が載置され、原稿搬送路２３の上流端に接続される。尚、原稿トレイ２１には、図２に示すように、原稿トレイ２１に原稿が載置されていることを検知する反射型や透過型の光センサ等の原稿検知センサ２８（検知体に相当）が設けられる。そして、原稿供給ローラ２２は、最上位の原稿に当接し、例えば、スタートキー３２の押下により、原稿読取を行う旨の入力が複写機２００に入力されると、原稿搬送路２３に原稿を送り出す。
【００３９】
送り出された原稿は、複数の原稿搬送ローラ対２４やガイドに導かれ、画像読取部１上面に設けられた搬送用プラテンガラス１１（第１プラテンガラスに相当）の上面を通過する。この通過の際、画像読取部１が読取を行う。そして、読取が完了した原稿は、原稿排出ローラ対２５から原稿排出トレイ２６に排出される（原稿搬送経路を２点鎖線で図示）。尚、上記の各回転体（原稿供給ローラ２２、原稿搬送ローラ対２４、原稿排出ローラ対２５）は、原稿搬送モータ２９（図６参照）を駆動源として回転する。
【００４０】
次に、本実施形態における画像読取部１を説明する。図１や図２に示すように、画像読取部１は、箱形の筐体を有する。そして、画像読取部１の上面で左側に、図２の紙面に垂直な方向でのび、透明板状の搬送用プラテンガラス１１が配される。そして、画像読取部１の上面で右側に、紙面に垂直な方向でのび、透明板状の載置用プラテンガラス１２（第２プラテンガラスに相当）が配される。載置用プラテンガラス１２は画像読取部１の上面に設けられ、書籍等の原稿を１枚ずつ読み取る場合、原稿搬送部２を持ち上げ、読取面を下向きに原稿が載置される。
【００４１】
又、図２に示すように、画像読取部１の筐体内に、第１移動枠１３、第２移動枠１４、ワイヤ１５Ｗ、巻取ドラム１５Ｄ、レンズ１６と、原稿に光を照射するランプ１７０と、原稿に照射された光が入射され、１ライン毎に原稿を読み取り、画像データを生成するためのイメージセンサ１８等が配される。イメージセンサ１８は、例えば、ライン状に光電変換素子を並べたＣＣＤ（Charge Coupled Device）で構成され、原稿の反射光を元に、１ライン毎に原稿を読み取る。
【００４２】
そして、第１移動枠１３は、上方に光を照射するランプ１７０（例えば、冷陰極ランプ、キセノンランプ、蛍光ランプ等）を、下方に第１ミラー１７１を支持する。尚、ランプ１７０、各ミラーは、図２の紙面垂直方向に延びる形状である。第２移動枠１４は、上方に第２ミラー１７２を、下方で第３ミラー１７３を支持する。又、第１移動枠１３は第２移動枠１４の上方に配される。又、この第１移動枠１３及び第２移動枠１４には複数本のワイヤ１５Ｗが取り付けられ（図２では、便宜上１本のみ図示）、ワイヤ１５Ｗの他端が巻取ドラム１５Ｄに接続され、巻取モータ１５Ｍ（図６参照）を駆動源として、巻取ドラム１５Ｄが正逆回転し、第１移動枠１３と第２移動枠１４が水平方向に自在に移動することもできる。
【００４３】
ここで、具体的な原稿読取動作の一例を説明しておく。まず、原稿搬送部２により搬送される原稿の読取の場合、搬送用プラテンガラス１１の下方位置（読み取り位置）に、巻取モータ１５Ｍの駆動で、第１移動枠１３と第２移動枠１４が固定され、通過する原稿に対し、ランプ１７０が光を照射する。
【００４４】
ランプ１７０から発せられた光は、搬送用プラテンガラス１１上の原稿に当たり、反射光を第１ミラー１７１、第２ミラー１７２、第３ミラー１７３で反射させて、レンズ１６に導く。レンズ１６は反射光を集光し、イメージセンサ１８に入射する、イメージセンサ１８は、反射光を画像濃度に応じたアナログの電気信号に変換する。この原稿の主走査方向（原稿搬送方向と垂直な方向）にライン単位で読取を行い、このライン単位の読取を副走査方向（原稿搬送方向）に連続して繰り返し行うことで、１枚の原稿が読み取られる。
【００４５】
一方、載置用プラテンガラス１２上に載置された原稿を読み取る場合、第１移動枠１３及び第２移動枠１４を巻取ドラム１５Ｄやワイヤ１５Ｗ等により、ホームポジションから図２の右方向に水平に移動させ、走査動作を、順次原稿端部まで連続的に行うことで、原稿全体が読み取られ、原稿画像が電気信号に変換される。
【００４６】
（原稿搬送部２の開閉と、開閉検知）
次に、図３及び図４に基づき、原稿搬送部２の開閉とその開閉検知を説明する。図３は、本発明の第１の実施形態に係る画像読取装置１００の一例の正面図である。尚、図３では画像読取装置１００以外の図示は省略している。又、図４は、本発明の第１の実施形態に係る原稿搬送部２を開けた状態での画像読取装置１００の左側面模型的断面図である。
【００４７】
原稿搬送部２は、前述のように画像読取部１の上面に設けられる。原稿搬送部２は、画像読取部１の本体背面側の一辺の箇所に備えた２箇所の回転軸２ａを中心として、支持部材２ｂに回動自在に取り付けられる。これにより、原稿搬送部２は、画像読取装置１００１の正面側を自由端として、正面側の上下を振るようにして回転し、画像読取部１の上面に対して開、閉両様の姿勢をとることができる。
【００４８】
原稿搬送部２を閉じた時に、搬送用プラテンガラス１１に対向する原稿搬送部２の下面には、白色ガイド板２７が設けられる。白色ガイド板２７は、搬送用プラテンガラス１１をカバーする位置及び大きさをなす。原稿搬送部２を閉じた時、白色ガイド板２７と搬送用プラテンガラス１１間には、隙間が形成され、搬送される原稿が通過する経路となる。即ち、白色ガイド板２７と、搬送用プラテンガラス１１が原稿のガイドを行う。
【００４９】
又、原稿搬送部２を閉じた時に、載置用プラテンガラス１２に対向する面には、白色マット２ｃが設けられる。白色マット２ｃは、載置用プラテンガラス１２をカバーする位置及び大きさをなす。原稿搬送部２を閉じた時、白色マット２ｃが、押圧して、原稿を移動しないように保持する。
【００５０】
又、本実施形態の画像読取装置１００では、原稿の読取領域外までイメージセンサ１８の読み取り可能な領域が設けられ（図１０（ａ）参照。）。そして、白色ガイド板２７には、原稿搬送部２を閉じた際、原稿の読取領域（図２において、２本の２点鎖線で挟まれた領域）外でイメージセンサ１８の読み取り可能な領域（以下、「マーク読取領域」）に対向する位置に、イメージセンサ１８の主走査方向にのびるライン状のマークＭがそれぞれ設けられる。尚、マーク読取領域は、正面側と背面側の２箇所に設けられる。従って、各マークは、原稿搬送部２の下面に設けられ閉状態で搬送用プラテンガラス１１に対向し白色ガイド板２７の正面側と背面側の端部にそれぞれ設けられる。そして、２つのマークＭの長さは、例えば、同じ長さとされる。
【００５１】
即ち、回転軸２ａの軸線方向に対し、イメージセンサ１８の主走査方向は垂直であり、原稿搬送部２は、原稿搬送部２の下面に、イメージセンサ１８の主走査方向にのびて原稿読み取り時の白基準であり、搬送される原稿を導く白色ガイド板２７を有し、マークＭは、白色ガイド板２７に設けられる。
【００５２】
そして、図３、図４に示すように、画像読取部１には、原稿搬送部２の２箇所の回転軸２ａの間に、原稿搬送部２が所定角度倒されたことを検知するための開閉検知器６が備えられる。開閉検知器６は、接触片６１、センサ６２、ばね６３等を備える。
【００５３】
図４に示すように、接触片６１は、上下方向に延びる棒状の部材であり、上下方向にスライドする。接触片６１は、原稿搬送部２が、傾斜し始めると上側の先端が原稿搬送部２の下面に接触する接触部６４を備え、又、下側の先端にセンサ６２による開閉検知のために利用されるセンサ干渉部６５を備える。
【００５４】
センサ６２は、原稿搬送部２が下降時のセンサ干渉部６５の近傍に備えられる。センサ６２は、透過型光センサで構成され、発光部及び受光部（図示せず）を備える。そして、原稿搬送部２がある程度閉じられると、センサ６２の発光部と受光部との間の光路をセンサ干渉部６５が遮る。これにより、原稿搬送部２が所定角度倒されたことを検知できる。ばね６３は、接触片６１の下方に設けられる。ばね６３は、例えば、圧縮コイルばねで構成され、接触片６１を常時上方に付勢するが、原稿搬送部２の開状態で、接触片６１が飛び出さず、センサ干渉部６５がセンサ６２の上方にくる程度で付勢する。
【００５５】
（複写機２００のハードウェア構成）
次に、図５に基づき本発明の第１の実施形態に係る複写機２００のハードウェア構成の一例を説明する。図５は、本発明の第１の実施形態に係る複写機２００の構成の一例を示すブロック図である。
【００５６】
まず、複写機２００のメイン制御基板上の本体制御部７には、中央演算処理装置として、ＣＰＵ７１が設けられ、ＲＡＭ（Random Access Memory）やＲＯＭ（Read Only Memory）やＨＤＤ（Hard disk drive）やフラッシュＲＯＭ等の不揮発性と揮発性のメモリからなる記憶部７２を有する。記憶部７２は、複写機２００を制御するためのプログラム、データ等が記憶される。本体制御部７は、記憶部のプログラムやデータを利用して、各部を制御し、印刷を行わせる。
【００５７】
そして、本体制御部７には、給紙部４ａ、搬送路４ｂ、画像形成部５ａ、定着部５ｂ、操作パネル３と接続され、本体制御部７は、用紙搬送やトナー像形成等、各部の動作制御を行う。又、操作パネル３での設定やコピー実行指示は、本体制御部７に伝達される。本体制御部７は、画像読取装置１００とも接続され、コピー実行時等、画像読取装置１００に対して動作指示を与える（詳細は後述）。そして、本体制御部７は、コピー時、読み取った原稿の画像データを受け取り、その画像データに基づき、印刷を行う（コピー）。
【００５８】
（画像読取装置１００のハードウェア構成）
次に、図６に基づき、本発明の第１の実施形態に係る画像読取装置１００のハードウェア構成の一例を説明する。図６は、本発明の第１の実施形態に係る画像読取装置１００の構成の一例を示すブロック図である。
【００５９】
上述したように、本実施形態の画像読取装置１００は、原稿搬送部２と画像読取部１で構成され、原稿搬送部２には、原稿搬送部２の制御を行う原稿搬送制御部２０が設けられ、画像読取部１には、画像読取部１の制御を行う読取制御部１０が設けられる。
【００６０】
そこで、原稿搬送制御部２０を説明する。原稿搬送制御部２０は、上述の本体制御部７や読取制御部１０と接続され、本体制御部７や読取制御部１０からの指示、信号を受け、原稿搬送部２の動作制御を行う。そして、原稿搬送制御部２０は、中央演算処理装置としてのＣＰＵ２０１、ＲＯＭ２０２、ＲＡＭ２０３等を有する。ＣＰＵ２０１は、本体制御部７等との通信を制御し、又、本体制御部７等の指示を受け、原稿搬送部２の動作制御を行う。例えば、本体制御部７から原稿の読取指示があった場合、原稿搬送モータ２９を駆動させ、原稿供給ローラ２２、原稿搬送ローラ対２４等を回転させる。ＲＯＭ２０２、ＲＡＭ２０３は、制御用のプログラムやデータを記憶し、展開するためのメモリである。又、原稿検知センサ２８は、ＣＰＵ２０１と接続され、原稿搬送制御部２０は、原稿検知センサ２８の出力電圧の大小により、原稿トレイ２１での原稿の有無を検知する。
【００６１】
次に、画像読取部１と読取制御部１０の概略構成を説明する。図６に示すように、本体制御部７と接続される読取制御部１０は、ＣＰＵ１０１が設けられ、記憶装置として、ＲＯＭ１０２、ＲＡＭ１０３が設けられる。ＲＯＭ１０２は、画像読取装置１００の制御に必要なプログラム、データを記憶する不揮発性メモリである。ＲＡＭ１０３は、画像読取装置１００の制御を行う際のプログラムやデータ等が展開される揮発性のメモリである。尚、読取制御部１０は、後述の画像メモリ８４から画像データを受け取ることもできる。
【００６２】
そして、例えば、操作パネル３のスタートキー３２が押下され、本体制御部７から読取実行指示が与えられた場合等、本体制御部７の指示を受け、読取制御部１０は画像読取装置１００の動作制御や、読取で得られた画像データの本体制御部７への送信制御を行う。
【００６３】
そして、読取制御部１０には、以下のような各構成が接続される。例えば、画像読取部１のランプ１７０を実際に発光させるインバータ８１や、巻取ドラム１５Ｄを駆動するための巻取モータ１５Ｍや、イメージセンサ１８等が接続される。そして、読取を行う時、読取制御部１０は、インバータ８１を駆動させ、ランプ１７０を点灯させ、巻取ドラム１５Ｄで各移動枠を移動させ、イメージセンサ１８を駆動させる。
【００６４】
更に、画像読取部１には、イメージセンサ１８によって得られた各画素のアナログの電気信号の転送を受け、ディジタル信号に変換し量子化を行うＡ／Ｄ変換部８２や、Ａ／Ｄ変換後の画像データに対し、各種補正を行う補正部８３や、補正後の画像データを蓄積するための画像メモリ８４が搭載される。補正部８３によりなされる補正は、例えば、ランプ１７０の照明の主走査方向での不均一や、レンズ１６の中心部と周辺部との集光度差で、画素の位置に依存する濃度の歪みを補正するためのシェーディング補正がある。具体的には、画像読取前に、白基準としての白色ガイド板２７を読み取り、読み取りで得られた１ライン分の各画素の画素値を補正係数として用い、以後、１ラインの各画素ごとに補正を行ってゆく。例えば、各画素が２５６階調で濃度が表され２５５が白とすると、以下のような演算を行う。
補正後の画素値＝補正前の画素値×（２５５／白色ガイド板２７読取時の画素値）
【００６５】
そして、補正後の画像データは、画像メモリ８４に格納され、画像メモリ８４内の画像データは、本体制御部７に送信され、更に、画像処理後、露光装置５３による露光に用いられる。又、画像メモリ８４内の画像データを読取制御部１０に送信することもできる。
【００６６】
（原稿サイズの確認動作）
次に、図７に基づき、本発明の第１の実施形態に係る画像読取装置１００での原稿サイズ確認動作の一例を説明する。図７（ａ）は、本発明の第１の実施形態に係る原稿搬送部２の閉状態の一例を示す左側面模型的断面図であり、（ｂ）は、原稿搬送部２が浮いた態の一例を示す左側面模型的断面図である。
【００６７】
図７（ａ）は、載置用プラテンガラス１２に何ら原稿が載置されていないか、載置されていても、載置される原稿は、１枚〜数枚程度であり、原稿搬送部２が閉じられたといえる状態である。この時、図７（ａ）に示すように、開閉検知器６のセンサ干渉部６５がセンサ６２の光路を遮る。従って、読取制御部１０に入力される電圧は、センサ６２の受光部が未受光状態のものとなり（例えば、Ｌｏｗ状態）、読取制御部１０は、原稿搬送部２が閉じられていることを検知する。
【００６８】
図７（ｂ）は、載置用プラテンガラス１２に書籍等の厚さのある原稿が載置された状態であり、原稿搬送部２が浮いた状態（半開き状態）である。そして、本実施形態の画像読取装置１００では、図７（ｂ）に示す浮いた状態でも、開閉検知器６のセンサ干渉部６５がセンサ６２の光路を遮り、読取制御部１０は、原稿搬送部２が閉状態であると認識する。言い換えると、原稿搬送部２を下限まで閉じる前に、原稿搬送部２が所定角度まで倒されると、センサ干渉部６５がセンサ６２の光路を遮り始め、読取制御部１０は、原稿搬送部２が閉状態と認識する。
【００６９】
このように、原稿搬送部２が所定角度まで倒されると、読取制御部１０は、原稿搬送部２が閉状態と認識するには理由がある。本実施形態の画像読取装置１００は、原稿搬送部２が所定角度まで倒されると、画像読取部１は、原稿の読み取りを実際に行う前に、第１移動枠１３と第２移動枠１４を移動させて、載置用プラテンガラス１２の左端部の読み取りを行う。この読み取りにより、載置された原稿のサイズを確認できる。言い換えると、原稿搬送部２が所定角度まで倒されたことをトリガとして、原稿読み取りのための準備動作（プレスキャン）が行われる。即ち、原稿搬送部２が所定角度倒れた場合、画像読取部１は、載置用プラテンガラス１２に載置された原稿のサイズを確認するため、載置用プラテンガラス１２の一部を読み取る。
【００７０】
ここで、所定角度は、適宜設定可能であるが、載置用プラテンガラス１２に原稿がない状態でランプ１７０を点灯させても、使用者がランプ１７０の光で眩しいと感じることが無く、載置用プラテンガラス１２に載置された原稿のサイズの誤検知がない角度とされる（例えば、画像読取部１上面と原稿搬送部２の下面がなす角θが１５〜３０度程度）。そして、原稿搬送部２が所定角度まで倒されれば、センサ６２の光路をセンサ干渉部６５が遮るように、調整される。
【００７１】
しかし、図７（ｂ）に示すような、原稿搬送部２が浮いた状態で、開閉検知器６による検知だけで、原稿搬送部２が閉状態と判断し、原稿搬送可能と判断し、原稿を搬送してしまうと、図７（ｂ）に示すように、白色ガイド板２７と搬送用プラテンガラス１１の間隔が離れているので、原稿を搬送するための原稿搬送路２３が途切れた状態となり、原稿搬送部２が原稿の搬送を行えば、行き場を失った原稿によってジャムが生じてしまう。
【００７２】
そのため、原稿搬送部２が浮いた状態であるか、又、原稿のジャムが生ずるほど、原稿搬送部２が浮いているかを認識できれば、原稿搬送部２の浮きによるジャムの発生を完全に防ぐことができる。そこで、本実施形態の画像読取装置１００は、新たなセンサ６２や検知器を設けることなく、画像読取部１によるマークＭの読み取りにより原稿搬送部２原稿搬送部２の浮きや、浮きの程度を検知する。
【００７３】
（開閉角度とマークＭの読み取り）
次に、図３、図７、図８を利用して、本発明の第１の実施形態に係る原稿搬送部２の開閉角度の把握とマークＭの読み取りの一例を示す。図８は、本発明の第１の実施形態に係る原稿搬送部２の開閉角度とマークＭの読み取りの一例を示す説明図である。
【００７４】
図３に示したように、原稿搬送部２の下面には、シェーディング補正での白基準ともなる白色ガイド板２７が設けられ、白色ガイド板２７の長手方向の両端部には、ライン状で同じ長さのマークＭ（例えば、黒色）がそれぞれ記される。
【００７５】
もし、原稿搬送部２が閉じられた状態で、２つのマークＭの読み取りを行った場合、原稿搬送部２が閉じられた際に画像読取装置１００の正面側に位置するマークＭ１（原稿搬送部２の自由端側）と、原稿搬送部２が閉じられた際に画像読取装置１００の背面側に位置するマークＭ２（原稿搬送部２の支点側）の大きさ（長さ）は、同じとなる。マークＭ１とマークＭ２が同じ大きさであるかは、マークＭを読み取って得られた画像データのうち、マークＭ１とマークＭ２の主走査方向の画素数がほぼ同じであるか確認することで把握できる。例えば、読取制御部１０が、各マークＭを読み取った際の画像データを画像メモリ８４から得て、主走査方向の画素数をカウントすればよい。或いは、画像メモリ８４からマークＭを読み取った際の画像データの送信を受けた本体制御部７が、各マークＭの主走査方向の画素数を確認してもよい。言い換えると、読取制御部１０でも本体制御部７でも各マークＭの大きさを把握できる。
【００７６】
そして、図８に示すように、原稿搬送部２が閉じられた状態から、浮いた状態となり、傾斜角度（以下の説明では、傾斜角度とは、図７（ｂ）での画像読取部１上面と原稿搬送部２の下面がなす角θのことを意味する。）が大きくなるに従って、原稿搬送部２の下面は傾斜するので、読み取られた各マークＭの長さは短くなる。更に、図７（ｂ）に示すように、画像読取装置１００の正面側のマークＭ１から搬送用プラテンガラス１１までの距離Ａの方が、背面側のマークＭ２から搬送用プラテンガラス１１までの距離Ｂよりも遠くなる。従って、原稿搬送部２が開状態に近づくほど（傾斜角度が大きくなるほど）、マークＭ１の方が小さく読み取られる。そして、図８に示すように、原稿搬送部２が開くほど、最終的には、マークＭ１は、読み取られなくなる。
【００７７】
このように、予め原稿搬送部２の傾斜角度ごとの読み取った画像データでのマークＭ１の画素配列数等を取得し、テーブル化しておき（例えば、ＲＯＭ１０２に記憶）、原稿読み取り前に、マークＭ１の大きさ（長さ）を確認することで、原稿搬送部２の傾斜角度を把握することができる。又、通常、マークＭ１の方が、マークＭ２よりも小さくなるので、例えば、原稿搬送部２の傾斜角度を把握する際に、マークＭ１とマークＭ２の大きさの比較を行って、マークＭ１の方が、小さいかを確認して、正確にマークが読み取られているかを確認しても良い。
【００７８】
そして、マークＭ１の大きさについて、原稿の搬送を行った場合、ジャムが生ずるほどの大きさを所定の大きさ（例えば、読み取られたマークＭ１の画素数）として記憶しておく。言い換えると、原稿の搬送を行えばジャムが生ずるほどの許容できない原稿搬送部２の浮きの閾値としてのマークＭ１の所定の大きさを予め取得し、記憶させておく。
【００７９】
（画像読取時の制御の流れ）
次に、図９に基づき、画像読取時の制御の流れの一例を説明する。図９は、本発明の第１の実施形態に係る画像読取時の制御の流れの一例を示すフローチャートである。
【００８０】
まず、図９におけるスタートは、操作パネル３のスタートキー３２が押下され、コピー動作が開始された時点である。尚、もし、スタートキー３２が押される前に、原稿が載置用プラテンガラス１２に載置されれば、プレスキャンが既に行われ、載置された原稿のサイズの確認や、給紙部４ａに収容される用紙とサイズが一致するか等の確認が行われている状態である。
【００８１】
次に、画像読取部１の読取制御部１０は、第１移動枠１３、第２移動枠１４を搬送用プラテンガラス１１の下方に位置させ、ランプ１７０の発光を行い、シェーディング補正のため白色ガイド板２７を読み取って、白基準を取得する（ステップ♯１）。次に、白基準の取得位置から、第１移動枠１３と第２移動枠１４を移動させ、マークＭ１、Ｍ２の読み取りを行う（ステップ♯２）。
【００８２】
次に、原稿搬送制御部２０は、原稿検知センサ２８の出力を確認して、原稿搬送部２の原稿トレイ２１に原稿が載せられているか（原稿があるか）確認する（ステップ♯３）。もし、原稿トレイ２１に原稿があれば（ステップ♯３のＹｅｓ）、読取制御部１０は、開閉検知器６の出力を確認し、原稿搬送部２が倒されて画像読取部１の上面と原稿搬送部２の下面のなす角が、所定角度以下となり、開閉検知器６で閉状態が認識されているか確認を行う（ステップ♯４）。
【００８３】
もし、閉状態の検知がなされていれば（ステップ♯４のＹｅｓ）、読取制御部１０は先に読み取った各マークＭの画像データを確認し、正面側のマークＭ１のほうが背面側のマークＭ２よりも大きくないかを確認する（ステップ♯５）。即ち、正面側のマークＭ１≦背面側のマークＭ２かを確認する。もし正面側のマークＭの方が大きければ（ステップ♯５のＮｏ）、読み取りミスが考えられ、正確を期すため、例えば、ステップ♯２に戻る。
【００８４】
一方、正面側のマークＭ１の方が大きくなければ（ステップ♯５のＹｅｓ）、複写機２００の正面側のマークＭ１が所定の大きさ以下であるかを確認する（ステップ♯６）。この時、複写機２００の正面側（原稿搬送部２の自由端側）のマークＭ１と複写機２００の背面側（原稿搬送部２の支点側）のマークＭ２を比較して、複写機２００正面側のマークＭ１が一定以上小さいことにより、所定の大きさ以下であるか否かを判断しても良い。
【００８５】
そして、マークＭ１が所定の大きさ以下でなければ（ステップ♯６のＮｏ）、原稿を搬送しても、搬送用プラテンガラス１１部分でジャムが生ずるほど、原稿搬送部２が浮いた状態でないと判断できるので、読取制御部１０は、原稿搬送制御部２０に原稿を搬送すべき旨の指示を与え、原稿搬送制御部２０は、原稿の搬送を連続的に行う（ステップ♯７）。その後、読取制御部１０は、第１移動枠１３、第２移動枠１４を搬送される原稿の読み取り位置（搬送用プラテンガラス１１の下方）まで移動させて、イメージセンサ１８により原稿の連続的な読み取りが行われる（ステップ♯８）。イメージセンサ１８による読み取り後、画像データが生成され、本体制御部７に送信される（ステップ♯９）。そして、印刷が行われ（ステップ♯１０）、複写動作は完了する（エンド）。
【００８６】
一方、原稿搬送部２の原稿トレイ２１に原稿がなく（ステップ♯３のＮｏ）、又、原稿搬送部２に原稿が載せられていても、原稿搬送部２が所定角度まで倒れておらず、開閉検知器６で開状態が検知されており（ステップ♯４のＮｏ）、あるいは、マークＭ１が所定の大きさ以下であれば（ステップ♯６のＹｅｓ）、原稿搬送部２に原稿を搬送させることなく、読取制御部１０は、第１移動枠１３、第２移動枠１４を載置用プラテンガラス１２の下方で水平移動させて、載置用プラテンガラス１２上の原稿の読み取りが行われる（ステップ♯１１）。そして、ステップ♯１１の後、ステップ♯９に移行、画像データの送信、印刷が行われ終了する（エンド）。
【００８７】
即ち、原稿の読取を行う場合、画像読取部１は、原稿の読み取り開始前にマークＭ１、マークＭ２の読み取りを行い、原稿搬送部２は、読み取られたマークＭ１の大きさが所定の大きさ以下である場合、原稿が載置されていても、搬送用プラテンガラス１１への原稿の搬送を行わない。又、原稿搬送部２は、原稿搬送部２が所定角度倒れたことが検知されていても、読み取られたマークＭ１の大きさが所定の大きさ以下である場合、搬送用プラテンガラス１１への原稿の搬送を行わない。
【００８８】
このようにして、読み取られたマークＭ１の大きさが所定の大きさ以下であれば、マークＭ１と各プラテンガラスとが大きく離れていることが分かり、書籍等の載置のため、原稿搬送部２が浮いていることが分かる。従って、原稿搬送部２に原稿が載置されていても、読み取られたマークＭの大きさが所定の大きさ以下になるほど、原稿搬送部２がプラテンガラスから離れていれば、原稿の搬送が行われず、原稿搬送部２が浮いている状態で原稿の搬送を行うことによるジャムの発生を防ぐことができる。
【００８９】
又、原稿搬送部２がある程度倒された時、開閉検知器６により原稿搬送部２が閉じられたと検知され、第２プラテンガラスの一部を読み取る画像読取装置１００であっても、マークＭ１の大きさが所定の大きさ以下である場合には原稿の搬送が行われない。従って、原稿搬送部２が浮いている状態で原稿の搬送を行うことによる原稿のジャムの発生を防ぐことができる。又、マークＭ１、Ｍ２の読み取りと、シェーディング補正における白基準の読み取りを同時に行えるので、読み取り前の処理速度を向上させることができる。
【００９０】
（第２の実施形態）
次に、図１０、図１１に基づき、第２の実施形態を説明する。尚、第２の実施形態は、白色ガイド板２７ではなく、画像読取部１側にマークＭを設ける点で異なるが、複写機２００や画像読取部１や原稿搬送部２などの構成は同様で良く、共通する部分は説明を省略するものとし、符号も共通したものを用いる。
【００９１】
尚、図１０（ａ）は、本発明の第２の実施形態に係る画像読取部１を上方から見た一例を示す模式図であり、（ｂ）は、原稿搬送部２の開閉角度と各マークＭの読み取りの一例を示す説明図である。図１１は、本発明の第２の実施形態に係る画像読取時の制御の流れの一例を示すフローチャートである。尚、図１０では、原稿搬送部２や開閉検知器６や回転軸２ａ等の記載は省略し、各プラテンガラスと各マークＭのみを示している。
【００９２】
前述のように画像読取部１の上面には、正面から見て左側に搬送用プラテンガラス１１が設けられ、右側に載置用プラテンガラス１２が設けられる。そして、図１０（ａ）に示すように、本実施形態の画像読取装置１００でも、原稿が通過し、又は載置される原稿の読取領域（図１０（ａ）において、２本の２点鎖線で挟まれた領域）外であって、イメージセンサ１８の読み取り可能な領域（以下、「マーク読取領域」）が、正面側と背面側の２箇所に設けられる。言い換えると、搬送用プラテンガラス１１と載置用プラテンガラス１２の正面側と背面側の端縁から一定幅で、マーク読取領域が設定される。
【００９３】
そして、本実施形態の画像読取装置１００では、図１０（ａ）に示すように、搬送用プラテンガラス１１の正面側に、例えばライン状で白色ガイド板２７と同じ白色のマークＭ３が設けられ、背面側の両方のマーク読取領域にライン状で白色ガイド板２７と同じ白色のマークＭ４が設けられる。即ち、原稿搬送部２が閉じられた状態において、白色ガイド板２７に対向する搬送用プラテンガラス１１に白色のマークＭが設けられる。又、マークＭ３とマークＭ４は、例えば、搬送用プラテンガラス１１の上面に貼り付けられてもよいし、塗料等で描かれても良い。そして、２つのマークＭ３とマークＭ４の大きさ（長さ）は、例えば、同じ長さとされる。
【００９４】
又、図１０（ｂ）に示すように、原稿搬送部２が閉じられた状態で（傾斜角度０度）、２つのマークＭの読み取りを行った場合、マークＭ３とマークＭ４の上方に位置する白色ガイド板２７と同化してしまい、マークＭ３とマークＭ４を読み取っても、白色の画像として認識される。
【００９５】
そして、図１０（ｂ）に示すように、原稿搬送部２が閉じられた状態から、浮いた状態となり、傾斜角度が大きくなるに従って、載置用プラテンガラス１２と白色ガイド板２７の距離が大きくなり、ランプ１７０の反射光が画像読取部１内に導かれ難くなるので、マークＭを読み取った画像データを確認すると、マークＭ３とマークＭ４は浮かび上がる。言い換えると、白色のマークＭ３、Ｍ４の周囲の濃度（画素値）が、原稿搬送部２を閉じているときよりも濃くなる。
【００９６】
更に、原稿搬送部２が開かれると、正面側のマークＭ３から搬送用プラテンガラス１１までの距離の方が、背面側のマークＭ４から搬送用プラテンガラス１１までの距離よりも遠くなる。従って、原稿搬送部２の傾斜角度が大きくなるに従って、マークＭ３の周囲の画素の濃度が濃くなる。例えば、図１０（ｂ）に示すように、原稿搬送部２の傾斜角度が大きくなるに従って、最終的には、マークＭ３は、完全に浮かび上がる。
【００９７】
従って、マークＭ３（正面側、原稿搬送部２の自由端側）と、マークＭ４（背面側、原稿搬送部２の支点側）の周囲の画素の濃度（画素値）を確認すれば、原稿搬送部２の傾斜角度を把握することができる。例えば、予め原稿搬送部２の傾斜角度ごとにマークＭ３を読み取って画像データでのマークＭ３の周囲の濃度（画素値）を取得し、テーブル化しておき（例えば、ＲＯＭ１０２に記憶）、原稿読み取り前に、マークＭ３の周囲の画素の濃度を確認することで、原稿搬送部２の傾斜角度を把握することができる。又、通常、マークＭ４の周囲の画素の方が、濃度は薄くなるので、例えば、原稿搬送部２の傾斜角度を把握する際に、マークＭ３とマークＭ４の周囲の画素の濃度の比較を行って、マークＭ４の周囲の画素の方が、濃度は薄いかを確認して、正確にマークＭが読み取られているかを確認しても良い。
【００９８】
次に、図１１に基づき、本発明の第２の実施形態に係る画像読取時の制御の流れの一例を説明する。図１１は、本発明の第２の実施形態に係る画像読取時の制御の流れの一例を示すフローチャートである。
【００９９】
まず、本フローチャートにおけるスタート〜ステップ♯２４までは、図９におけるスタート〜ステップ♯４と同様であるので、説明を省略する。
【０１００】
そして、閉状態の検知がなされていれば（ステップ♯２４のＹｅｓ）、読取制御部１０は、先に読み取った各マークＭの画像データを確認し、正面側のマークＭ３の周囲の濃度のほうが、背面側のマークＭ４よりも薄くないかを確認する（ステップ♯２５）。もし、正面側のマークＭ３の周囲の画素の濃度の方が薄ければ（ステップ♯２５のＮｏ）、読み取りミスが考えられ、正確を期すため、例えば、ステップ♯２２に戻る。
【０１０１】
正面側のマークＭ３の周囲の濃度のほうが、背面側のマークＭ４よりも薄くなければ（ステップ♯２５のＹｅｓ）、読取制御部１０は、先に読み取ったマークＭ３の画像データを確認し、複写機２００の正面側のマークＭ３の周囲の濃度が所定の濃度よりも濃いかを確認する（ステップ♯２６）。そして、マークＭ３の周囲の濃度が、所定の濃度よりも薄ければ（ステップ♯２６のＮｏ）、原稿を搬送しても、搬送用プラテンガラス１１部分でジャムが生ずるほど、原稿搬送部２が浮いていないと判断できるので、読取制御部１０は、原稿搬送制御部２０に原稿を搬送すべき旨の指示を与え、原稿搬送制御部２０は、原稿の搬送を連続的に行う（ステップ♯２７）。一方、所定の濃度よりも濃ければ（ステップ♯２６のＹｅｓ）、ステップ♯３１に移行する。尚、本実施形態でのステップ♯２７〜ステップ♯３１は、第１の実施形態における図９のステップ♯７〜ステップ♯１１と同様であるので、説明を省略する。
【０１０２】
このように、第２の実施形態では、原稿の読取を行う場合、画像読取部１は、原稿の読み取り開始前にマークＭ３、マークＭ４の読み取りを行い、原稿搬送部２は、読み取られたマークＭ３の周囲の濃度が所定の濃度よりも濃い場合、原稿が載置されていても、搬送用プラテンガラス１１への原稿の搬送を行わない。又、原稿搬送部２は、原稿搬送部２が所定角度倒れたことが検知されていても、読み取られたマークＭ３の周囲の濃度が所定の濃度よりも濃い場合、搬送用プラテンガラス１１への原稿の搬送を行わない。
【０１０３】
このようにして、本実施形態の構成によれば、読み取られたマークＭ３が明確に現れ、マークＭ３の周囲の濃度が濃くなるほど、マークＭ３がプラテンガラスから離れていることが分かり、書籍が載置される等で、原稿搬送部２が浮いていることが分かる。従って、稿搬送部に原稿が載置されていても、マークＭ３の周囲の濃度が所定の濃度より濃くなるほど原稿搬送部２がプラテンガラスから離れていれば、原稿の搬送が行われず、原稿のジャムは発生を防ぐことができる。又、原稿搬送部２がある程度倒された時、原稿搬送部２が閉じられたと検知され、第２プラテンガラスの一部を読み取る画像読取装置１００であっても、マークＭの大きさが所定の大きさ以下である場合には原稿の搬送が行われない。従って、原稿搬送部２が浮いている状態で原稿の搬送を行うことによる原稿のジャムの発生を防ぐことができる。
【０１０４】
次に、他の実施形態を説明する。上記では、マークＭの一例として、ライン状のマークＭを説明したが、例えば、円状、楕円状、多角形、文字等、読み取り可能であれば良く、ライン状のものに限られない。又、ライン以外のマークを用いる場合、第１の実施形態において、例えば、読み取られた画像データでの各マークＭ部分の画素数により、所定の大きさ以下であるか判断しても良い。
【０１０５】
又、マークＭを、第１の実施形態では、白色ガイド板２７の長手方向端部に設ける例を示したが、白基準としての読み取り範囲外であれば、白色ガイド板２７の長手方向以外の場所に設けても良い。更に、マークＭは白色マット２ｃに設けても良い。
【０１０６】
又、第２の実施形態では、搬送用プラテンガラス１１のマーク読取領域に白色のマークＭを設ける例を示したが、載置用プラテンガラス１２のマーク読取領域に白色のマークＭを設けるようにしてもよい。
【０１０７】
以上、本発明の第１の実施形態を説明したが、本発明の範囲はこれに限定されず、発明の主旨を逸脱しない範囲で種々の変更を加えて実施することができる。
【産業上の利用可能性】
【０１０８】
本発明は、画像読取装置やこれを備えた画像形成装置に利用可能である。
【符号の説明】
【０１０９】
１    画像読取部                １１  搬送用プラテンガラス（第１プラテンガラス）
１２  載置用プラテンガラス（第２プラテンガラス）
１８  イメージセンサ            ２    原稿搬送部
２ａ  回転軸                    ２７  白色ガイド板
２８  原稿検知センサ（検知体）  ６    開閉検知器
１００  画像読取装置          ２００  複写機（画像形成装置）
Ｍ、Ｍ１、Ｍ２、Ｍ３、Ｍ４  マーク
【図１】
2010278563.tif 000003
【図２】
2010278563.tif 000004
【図３】
2010278563.tif 000005
【図４】
2010278563.tif 000006
【図５】
2010278563.tif 000007
【図６】
2010278563.tif 000008
【図７】
2010278563.tif 000009
【図８】
2010278563.tif 000010
【図９】
2010278563.tif 000011
【図１０】
2010278563.tif 000012
【図１１】
2010278563.tif 000013